(57)【要約】【課題】  電話の着信があった場合に、電話相手や周囲の人に失礼なく応答できるようにした着信報知装置、その制御方法、制御プログラム及びこの制御プログラムが記録された記録媒体を提供する。【解決手段】  着信報知装置１０は、着信検知ユニット２０が、着信報知ユニット３０から送信された応答指示信号を受信した場合に、携帯電話機１００を通話状態に移行させ、予め記憶された音声データに基づき応答音声を携帯電話機１００に音声入力するようにした。【選択図】      図１
2005260621.tif 000002
【特許請求の範囲】
【請求項１】
電話の着信を検知する着信検知ユニットと、電話の着信を報知する着信報知ユニットとを備える着信報知装置において、
前記着信報知ユニットは、少なくとも着信応答指示を無線送信する指示送信手段を有し、
前記着信検知ユニットは、
前記指示送信手段の送信信号を受信する指示受信手段と、
前記指示受信手段により前記着信応答指示を受信した場合に前記電話機を通話状態に移行させ、その電話機に、予め記憶された着信応答用の音声データに基づく応答音声を音声入力する応答制御手段と
を備えることを特徴とする着信報知装置。
【請求項２】
前記着信報知ユニットは、ユーザにより操作される操作手段を有し、
前記指示送信手段は、前記操作手段の操作に応じて前記着信応答指示或いは切断指示を無線送信することを特徴とする請求項１に記載の着信報知装置。
【請求項３】
前記応答制御手段は、前記指示受信手段により前記切断指示を受信した場合、前記電話機を切断状態に移行させることを特徴とする請求項２に記載の着信報知装置。
【請求項４】
前記応答制御手段は、前記指示受信手段により前記切断指示を受信した場合、前記電話機を通話状態に移行させ、その電話機に、予め記憶された切断応答用の音声データに基づく応答音声を音声入力した後、前記電話機を切断状態に移行させることを特徴とする請求項２に記載の着信報知装置。
【請求項５】
前記着信検知ユニットは、前記音声データを変更する応答音声変更手段を有することを特徴とする請求項１乃至４のいずれかに記載の着信報知装置。
【請求項６】
前記電話は、携帯電話機であり、
前記着信検知ユニットは、前記携帯電話機のイヤホン・マイク端子或いはデジタル信号入出力端子から出力される着信トリガ信号を入力して着信を検知する着信検知手段を有することを特徴とする請求項１乃至５のいずれかに記載の着信報知装置。
【請求項７】
前記着信検知ユニットは、前記携帯電話機のイヤホン・マイク端子に挿入可能なジャック、或いは、前記携帯電話機のデジタル信号入出力端子に接続可能な接続端子の少なくともいずれかを備えることを特徴とする請求項６に記載の着信報知装置。
【請求項８】
前記着信報知ユニットは、時刻を計時する計時手段と、計時された時刻を表示する表示手段とを有する時計として構成されていることを特徴とする請求項１乃至７のいずれかに記載の着信報知装置。
【請求項９】
電話の着信を検知する着信検知ユニットと、電話の着信を報知する着信報知ユニットとを備える着信報知装置の制御方法において、
前記着信報知ユニットは、少なくとも着信応答指示を無線送信し、
前記着信検知ユニットは、前記着信応答指示を受信した場合に前記電話機を通話状態に移行させ、その電話機に、予め記憶された着信応答用の音声データに基づく応答音声を音声入力することを特徴とする着信報知装置の制御方法。
【請求項１０】
電話の着信を検知する着信検知ユニットと、電話の着信を報知する着信報知ユニットとを備える着信報知装置をコンピュータにより制御するための制御プログラムにおいて、
前記着信検知ユニットに、前記着信報知ユニットから無線送信された着信応答指示を受信させ、この着信応答指示を受信した場合に前記電話機を通話状態に移行させ、その電話機に、予め記憶された着信応答用の音声データに基づく応答音声を音声入力させることを特徴とする制御プログラム。
【請求項１１】
電話の着信を検知する着信検知ユニットと、電話の着信を報知する着信報知ユニットとを備える着信報知装置をコンピュータにより制御するための制御プログラムにおいて、
前記着信報知ユニットに、ユーザにより操作される操作手段の操作に応じて着信応答指示或いは切断指示を無線送信させることを特徴とする制御プログラム。
【請求項１２】
前記請求項１０又は１１のいずれかに記載の制御プログラムを記録したことを特徴とするコンピュータ読み取り可能な記録媒体。
【発明の詳細な説明】
【技術分野】
【０００１】
本発明は、携帯電話機の着信内容を報知する着信報知装置、その制御方法、制御プログラム及び記録媒体に関する。
【背景技術】
【０００２】
従来より、携帯電話機の着信を検知する着信検知ユニットと、携帯電話機の着信を報知する着信報知ユニットとを有する着信報知装置が知られている（例えば、特許文献１〜４）。この着信報知装置にあっては、携帯電話機に装着された着信報知信号送信機（着信検知ユニット）が、携帯電話機のイヤホン・マイク端子から出力される着信音を検知すると着信報知信号を無線送信し、この着信報知信号を無線受信した着信報知信号受信機（着信報知ユニット）が、振動やブザー音で着信を報知するように構成されている。
【特許文献１】特開平９−８４１４１号公報
【特許文献２】特開平１０−７９７８０号公報
【特許文献３】特開２０００−２９５３２１号公報
【特許文献４】特開２００２−１６６７０号公報
【発明の開示】
【発明が解決しようとする課題】
【０００３】
しかしながら、着信が報知されても、携帯電話機が鞄の中等にあり、すぐに取り出せない場合は、相手から電話が切断されてしまうことがある。電話が切断されると、携帯電話機の着信履歴を頼りに電話をかけなおさなくてはならず、着信報知装置の利便性が損なわれてしまう。また、会議中などその場で電話をすることが適切でないときでも、着信報知装置は振動により無音で着信を報知することができるが、電話に応答するには携帯電話機に向かって話さなければならず、周りに迷惑をかけてしまう。一方、携帯電話機を通話状態にしたまま会議室の外に移動する、といった実情もあるが、この移動の間、電話相手に対して無音の状態が続き、相手に失礼となってしまう。
【０００４】
本発明は、上述した事情に鑑みてなされたものであり、電話の着信があった場合に、電話相手や周囲の人に失礼なく応答できるようにした着信報知装置、その制御方法、制御プログラム及びこの制御プログラムが記録された記録媒体を提供することを目的としている。
【課題を解決するための手段】
【０００５】
上記課題を解決するため、本発明は、電話の着信を検知する着信検知ユニットと、電話の着信を報知する着信報知ユニットとを備える着信報知装置において、前記着信報知ユニットは、少なくとも着信応答指示を無線送信する指示送信手段を有し、前記着信検知ユニットは、前記指示送信手段の送信信号を受信する指示受信手段と、前記指示受信手段により前記着信応答指示を受信した場合に前記電話機を通話状態に移行させ、その電話機に、予め記憶された着信応答用の音声データに基づく応答音声を音声入力する応答制御手段とを備えることを特徴とする。この構成によれば、着信検知ユニットは、着信報知ユニットから無線送信された応答指示信号を受信した場合に電話機を通話状態に移行させ、その電話機に、予め記憶された着信応答用の音声データに基づく応答音声を音声入力するので、ユーザが電話機を直ちに使用できない状況にあっても、電話に音声で応答することができる。
【０００６】
上記構成において、前記着信報知ユニットは、ユーザにより操作される操作手段を有し、前記指示送信手段は、前記操作手段の操作に応じて前記着信応答指示或いは切断指示を無線送信することが好ましい。この場合、前記応答制御手段は、前記指示受信手段により前記切断指示を受信した場合、前記電話機を切断状態に移行させることが好ましく、さらに、前記応答制御手段は、前記指示受信手段により前記切断指示を受信した場合、前記電話機を通話状態に移行させ、その電話機に、予め記憶された切断応答用の音声データに基づく応答音声を音声入力した後、前記電話機を切断状態に移行させるようにしてもよい。
【０００７】
また、前記着信検知ユニットは、前記音声データを変更する応答音声変更手段を有するようにしてもよい。前記着信検知ユニットは、前記携帯電話機のイヤホン・マイク端子に挿入可能なジャック、或いは、前記携帯電話機のデジタル信号入出力端子に接続可能な接続端子の少なくともいずれかを備えることが好ましい。また、前記着信報知ユニットは、時刻を計時する計時手段と、計時された時刻を表示する表示手段とを有する時計として構成してもよい。
【０００８】
また、本発明は、電話の着信を検知する着信検知ユニットと、電話の着信を報知する着信報知ユニットとを備える着信報知装置の制御方法において、前記着信報知ユニットは、少なくとも着信応答指示を無線送信し、前記着信検知ユニットは、前記着信応答指示を受信した場合に前記電話機を通話状態に移行させ、その電話機に、予め記憶された着信応答用の音声データに基づく応答音声を音声入力することを特徴とする。この構成によれば、着信検知ユニットは、着信報知ユニットから無線送信された応答指示信号を受信した場合に電話機を通話状態に移行させ、その電話機に、予め記憶された着信応答用の音声データに基づく応答音声を音声入力するので、ユーザが電話機を直ちに使用できない状況にあっても、電話に音声で応答することができる。
【０００９】
また、本発明は、以上説明した着信報知装置及びその制御方法に適用する他、この発明を実施するための制御プログラムを電気通信回線を介して一般ユーザに配布したり、そのようなプログラムを、磁気記録媒体、光記録媒体、半導体記録媒体といった、コンピュータに読み取り可能な記録媒体に格納して一般ユーザに配布する、といった態様でも実施され得る。
【発明の効果】
【００１０】
本発明は、着信検知ユニットが、着信報知ユニットから送信された応答指示信号を受信した場合に、電話機を通話状態に移行させ、予め記憶された着信応答用の音声データに基づき応答音声を電話機に音声入力するので、ユーザが電話機を直ぐに取り出せない状況や会議中等で電話機を直ちに使用できない状況にあっても、電話に音声で応答することができ、電話相手や周囲の人に失礼なく電話を待ってもらうことが可能となる。
【発明を実施するための最良の形態】
【００１１】
以下、図面を参照して本発明の実施形態について説明する。本実施形態では、ＰＨＳを含む携帯電話機の着信を報知する着信報知装置を例に説明する。
【００１２】
図１は、本実施形態に係る着信報知装置１０の概要を示す図である。
この着信報知装置１０は、携帯電話機１００の着信を検知して着信報知信号を無線送信する着信検知ユニット２０と、着信報知信号を受信して着信を報知する着信報知ユニット３０とから構成される。
【００１３】
着信検知ユニット２０は、携帯電話機１００のイヤホン・マイク端子１０１に挿入可能なジャック２１を備え、このジャック２１がイヤホン・マイク端子１０１に挿入されることにより携帯電話機１００に装着され、かつ、携帯電話機１００と電気的に接続される。すなわち、着信検知ユニット２０は、携帯電話機１００のイヤホン・マイク端子１０１から出力される着信トリガ信号（着信音の音声信号を含む）を入力することにより、電話の着信を検知することが可能になっている。
【００１４】
なお、この着信検知ユニット２０は、図２（ａ）に示すように、ジャック２１に代えて、携帯電話機１００のデジタル信号入出力端子１０２に接続可能な接続端子２１Ａを備え、この接続端子２１Ａにより携帯電話機１００と接続されるようにしてもよく、また、図２（ｂ）に示すように、この接続端子２１Ａとジャック２１の両方を具備するように構成してもよい。これにより、デジタル信号入出力端子１０２から出力される着信トリガ信号によっても電話の着信を検知することが可能となる。
【００１５】
図３は、着信報知ユニット３０の正面図である。着信報知ユニット３０は、本体ケース３１と、ユーザの身体（腕）に装着するためのバンド３２とを備え、本体ケース３１には、各種情報を表示する表示部３３と、複数の操作子３４ａ〜３４ｄと、様々な音を報音するためのスピーカ３５とが設けられる。本実施形態では、この着信報知ユニット３０は、時刻を計時して表示部３３に現在時刻を表示する機能を備え、腕時計として使用可能に構成されている。
【００１６】
また、この着信報知ユニット３０において、操作子３４ａは、動作モードを、現在時刻を表示する時刻表示モードと、時刻調整を行う時刻調整モードとに切り替える操作子として機能する。なお、この着信報知ユニット３０は、時刻表示モードの際に携帯電話機１００の着信報知を行うようになっている。また、操作子３４ｂは、時刻調整モードの場合に時分等のいずれを調整するかを選択するための操作子として機能する。
【００１７】
また、操作子３４ｃは、時刻調整モードの場合に、選択された情報（時分等）を昇順に変更する操作子として機能する一方、この着信報知ユニット３０が着信を報知して所定期間の間は、着信への応答を指示する応答操作子として機能する。また、操作子３４ｄは、時刻調整モードの場合に、選択された情報（時分等）を降順に変更する操作子として機能する一方、この着信報知ユニット３０が着信を報知して所定期間の間は、着信に応答せずに切断を指示する切断操作子として機能する。
【００１８】
本体ケース３１には、重錘が回転軸に偏心負荷されたモータ３６が内蔵され、このモータ３６が回転駆動することにより着信報知ユニット３０が振動する。この着信報知ユニット３０は、この振動や表示部３３の表示情報によって、携帯電話機１００に着信があったことをユーザに報知するようになっている。
【００１９】
ここで、この着信報知装置１０を使用可能な携帯電話機１００は一般的な携帯電話機を広く適用することができる。図４は、携帯電話機１００の構成例を示すブロック図である。携帯電話機１００は、上記したイヤホン・マイク端子１０１、デジタル信号入出力端子１０２の他、アンテナ１１０、アンテナスイッチ（ＳＷ）１２１、受信部１２２、コーデック１２３、Ａ／Ｄ変換器１２４、Ｄ／Ａ変換器１２５、マイク１２６、スピーカ１２７、制御部（ＣＰＵ等）１２８、送信部１２９、パワーアンプ１３０及びＰＬＬシンセサイザ１３１等を備えている。
【００２０】
アンテナ１１０は、基地局（図示略）との間で所定の周波数帯の制御信号及び音声信号を含む送信信号及び受信信号を送受信する。ＳＷ１２１は、時分割でスイッチングし、アンテナ１１０を受信部１２２と送信部１２９とに択一的に接続し、アンテナ１１０からの受信信号を受信部１２２に出力し、送信部１２９から入力される送信信号をアンテナ１１０を介して送信させる。ＰＬＬシンセサイザ１３１は、制御部１２８により設定される周波数により局部発振し、受信部１２２及び送信部１２９での周波数変換のための局部発振信号を受信部１２２及び送信部１２９に出力する。
【００２１】
受信部１２２は、ダウンコンバート１２２ａと復調部１２２ｂを有し、アンテナ１１０で受信した受信信号を、ＰＬＬシンセサイザ１３１から入力される局部発振信号とをダウンコンバート１２２ａを介して混合し、受信信号の周波数帯を一定に下げ復調部へ出力される。送信部１２９は、アップコンバート１２９ａと変調部１２９ｂを有し、変調部１２９ｂから入力される変調波を、アップコンバート１２９ａにより周波数変換し、パワーアンプ１３０、ＳＷ１２１を介してアンテナ１１０から送信する。
【００２２】
コーデック１２３は、デジタル信号の圧縮及び伸長処理を行うものであり、受信部１２２の出力信号から音声信号を取得し（伸長処理）、この音声信号をＤ／Ａ変換器１２５によりアナログ信号に変換し、イヤホン・マイク端子１０１を介してスピーカ１２７に出力する。また、コーデック１２３は、マイク１２６或いはイヤホン・マイク端子１０１を介して入力され、Ａ／Ｄ変換器１２４にてデジタル信号に変換された音声信号を音声圧縮して送信部１２９に出力する。
【００２３】
ここで、イヤホン・マイク端子１０１は、スピーカ音声を出力する音声出力端子、マイク音声を入力する音声入力端子、グランド端子（ＧＮＤ端子）、制御信号入力用の制御端子が端子内に配置されており、外部機器のジャック（着信検知ユニット２０のジャック２１等）が挿入されると、スピーカ音声（受話音声）を、内蔵のスピーカ１２７ではなく、音声出力端子を介して外部機器に出力し、マイク音声（送話音声）をマイク１２６からではなく、音声入力端子を介して外部機器から入力する。また、制御部１２８は、制御端子とＧＮＤ端子との導通／非導通の状態を検出することにより、外部機器から各種指示を入力し、この指示に応じて、携帯電話機１００を呼び出し状態から通話可能な状態（通話状態）に切り替え制御したり、呼び出し状態から切断状態に切り替え制御する。
【００２４】
図５は、着信検知ユニット２０の接続端子２１Ａを示す図である。接続端子２１Ａには、携帯電話機１００へ外部から音声を送信する音声送信端子１０３、グランド端子（ＧＮＤ端子）１０４、携帯電話機１００から着信トリガ信号等が入力される制御信号入力端子１０５及び制御信号送信用の制御信号送信端子１０６が配置され、携帯電話機１００のデジタル信号入出力端子１０２に接続されることで、携帯電話機１００との間で、音声信号（送話音声、受話音声及び着信音）や着信トリガ信号や各種指示を入出力できるようになっている。
【００２５】
図６は、着信検知ユニット２０のジャック２１を示す図である。この図に示すように、ジャック２１には４つの端子があり、具体的には、音声入力端子２２Ａ、音声出力端子２２Ｂ、グランド端子２２Ｃ、制御端子２２Ｄ及び絶縁部２２Ｅが設けられている。そして、これら端子２０Ａ〜２２Ｄは、イヤホン・マイク端子１０１に挿入されると、イヤホン・マイク端子１０１の上記音声出力端子、音声入力端子、グランド端子及び制御端子にそれぞれ接触するようになっている。
【００２６】
図７は、着信検知ユニット２０の機能構成を示す図である。
この着信検知ユニット２０において、アンプ２３は、ジャック２１を介して入力した着信音の音声信号を増幅して判定部（着信検知手段）２４に出力し、判定部２４は、この入力信号のレベルを予め定めた閾値レベルと比較することによって着信を検知し、検出結果を制御部２５に出力する。なお、携帯電話機１００のデジタル信号入出力端子１０２に接続可能な接続端子２１Ａを備える場合は、この接続端子２１Ａを介してデジタル信号形式で着信トリガ信号（音声信号を含む）を入力し、判定部２４がデジタル処理で着信を検知し、或いは、デジタルアナログ変換した入力信号のレベルを判定することによって着信を検知するように構成される。
【００２７】
制御部（応答制御手段）２５は、ＣＰＵ（Central Processing Unit）や論理演算回路などから構成され、記憶部２６に記憶された各種制御プログラムを実行することにより、この着信検知ユニット２０全体を制御するコンピュータとして機能する。無線通信部（指示受信手段）２７は、制御部２５の制御の下、着信報知ユニット３０との間で近距離無線通信するためのものであり、Bluetooth（登録商標）や無線ＬＡＮ（Local Area Network）等の通信モジュールが適用される。制御部２５は、判定部２４により着信を検知した場合に無線通信部２７により着信報知信号を無線送信させ、この無線通信部２７により着信報知ユニット３０から無線送信された指示信号を受信する。
【００２８】
音声メモリ２９は、応答音声の音声データＤ１を記憶する音声記憶手段であり、制御部２５の制御の下、マイク４１及びマイクアンプ４２を介して入力された音声データが記憶される。具体的には、制御部２５は、操作子（図示略）が操作されたタイミングでマイク音声に対して所定の音声信号圧縮処理を施し、音声メモリ２９の所定領域に記憶する。これにより、ユーザ等の実際の音声が応答音声の音声データＤ１として記憶可能に構成されている。
【００２９】
また、外部入力部４３は、制御部２５の制御の下、この外部入力部４３に接続されたパーソナルコンピュータ等の外部機器との間でデータ通信するための通信インターフェースであり、応答音声の音声データＤ１や記憶部２６に記憶させる制御プログラムのデータ等を入力することが可能となっている。すなわち、音声メモリ２９には、マイク４１を介して入力したユーザの音声データ、或いは外部機器から送信された音声データが適宜記憶され、ユーザの好み等に合わせて音声データＤ１を書き換え（変更）できるように構成されている。つまり、制御部２５は、音声データＤ１を変更する応答音声変更手段としても機能する。
【００３０】
この音声メモリ２９に記憶された音声データＤ１は、制御部２５により読み出されて音声信号に変換され、出力アンプ４４により増幅されてジャック２１のマイク端子２２Ｂから出力される。これにより、携帯電話機１００に応答音声を音声入力できるように構成されている。なお、携帯電話機１００のデジタル信号入出力端子１０２に接続可能な接続端子２１Ａを備える場合は、この接続端子２１Ａを介しても携帯電話機１００に応答音声を音声入力可能に構成される。
【００３１】
図８は着信報知ユニット３０の機能構成を示す図である。
この着信報知ユニット３０において、無線通信部（指示送信手段）５０は、制御部５１の制御の下、着信検知ユニット２０との間で近距離無線通信するためのものであり、Bluetooth（登録商標）や無線ＬＡＮ（Local Area Network）等の通信モジュールが適用される。復調部５３は、無線通信部５０が受信した信号から着信報知信号等を復調して制御部５１に出力する。
【００３２】
制御部５１は、ＣＰＵ（Central Processing Unit）や論理演算回路などから構成され、記憶部５４に記憶された各種制御プログラムを実行することにより、この着信報知ユニット３０全体を制御するコンピュータとして機能する。操作部（操作手段）５５は、上記した操作子３４ａ〜３４ｄの操作を検出して制御部５１に通知するものである。この制御部５１は、無線通信部５０により着信検知ユニット２０から送信された着信報知信号を受信した場合に、報知部６０の駆動制御を行う。また、制御部５１は、着信報知信号を受信して所定期間の間に操作子（応答操作子）３４ｃが操作された場合は、無線通信部５０により応答指示信号を送信させ、操作子（切断操作子）３４ｄが操作された場合は、切断指示信号を送信させる送信制御を行うようになっている。
【００３３】
計時部（計時手段）５６は、時刻を計時するものであり、発振回路、クロックカウンタ及びレジスタなどから構成される。また、表示部（表示手段）３３は、制御部５１の制御の下、計時部５６で計時される時刻や各種情報を表示するものであり、例えば、液晶表示パネルや液晶駆動回路から構成される。
【００３４】
報知部（報知手段）６０は、制御部５１の制御の下、携帯電話機１００に着信があったことをユーザに報知するものであり、制御部５１の指示に応じて振動制御及び報音制御を選択的に行う報知制御部６１と、報知制御部６１の制御の下、モータ３６を駆動する振動ドライバ６２と、報知制御部６１の制御の下、スピーカ３５を駆動して所定音（ブザー音、メロディー音）を報音させる報音ドライバ６３とから概略構成されている。なお、振動で報知するか、音で報知するか、或いは振動と音で報知するかは、ユーザが予め設定することができ、報知制御部６１は、このユーザ設定に基づいて振動制御と報音制御を行うようになっている。
【００３５】
次に、この着信報知装置１０の携帯着信時の動作について説明する。図９は、着信検知ユニット２０と着信報知ユニット３０のシーケンスを説明するための図である。なお、着信報知ユニット３０は時刻表示モードで動作しているものとする。
【００３６】
携帯電話機１００が着信すると、着信検知ユニット２０には、ジャック２１（或いは接続端子２１Ａ）を介して着信トリガ信号が入力され、判定部２４により着信が検知される（ステップＳ１Ａ）。なお、携帯電話機１００は、通常は、着信音が内蔵スピーカから出力されるが、イヤホン・マイク端子１０１に着信検知ユニット２０のジャック２１が挿入されている際には内蔵スピーカから出力されず、外部に音が報音されることがない。着信が検知されると、着信検知ユニット２０の制御部２５は、無線通信部２７により着信報知信号を無線送信する（ステップＳ２Ａ）。そして、制御部２５は、無線通信部２７を受信待機状態に切り替える（ステップＳ３Ａ）。
【００３７】
一方、着信報知ユニット３０は、制御部５１の制御の下、計時部５６により計時された時刻を表示部３３に表示し、かつ、無線通信部５０を受信待機状態にした状態で動作している。そして、着信報知信号を受信すると（ステップＳ１Ｂ）、制御部５１は、ユーザに着信を報知する着信報知処理を実行する（ステップＳ２Ｂ）。具体的には、制御部５１は、報知制御部６１により報知制御を行うと共に、表示部３３に「着信あり」等の着信報知メッセージ又はアイコン等の着信報知画像を表示させる。ここで、ユーザ設定が振動と音で着信を報知する設定の場合には、報知制御部６１はモータ３６を駆動させて着信報知ユニット３０全体を振動させると共に、スピーカ３５から音（ブザー音、メロディ音）を放音させる。また、ユーザ設定が振動のみで着信を報知する設定の場合は、報知制御部６１は、モータ３６を駆動させて着信報知ユニット３０全体を振動させるが、スピーカ３５からは音を放音させない。これにより、会議中であっても、周囲に迷惑をかけることなくユーザに着信を報知することが可能となっている。
【００３８】
続いて、制御部５１は、操作子３４ｃ及び３４ｄのいずれかが操作されたか否かを監視する（ステップＳ３Ｂ）。そして、操作子３４ｃ又は操作子３４ｄの操作を検出した場合、制御部５１は、無線通信部５０により、各操作に応じて異なる指示信号を無線送信する（ステップＳ４Ｂ）。具体的には、制御部５１は、操作子３４ｃの操作を検出した場合は、着信への応答を指示する応答指示信号を無線送信し、操作子３４ｄの操作を検出した場合は、切断を指示する切断指示信号を無線送信する。その後、制御部５１は、上記着信報知処理を停止して、無線通信部５０を受信待機状態とする（ステップＳ５Ｂ）。
【００３９】
一方、操作子３４ｃ及び３４ｄのいずれかが所定期間（例えば、相手先から電話が切断されるまで、或いは、予め定めた設定期間）操作されない場合、制御部５１は、ステップＳ５Ｂに移行して、着信報知処理を停止し、無線通信部５０を受信待機状態にする。すなわち、この着信報知ユニット３０は、携帯電話機１００の着信を報知する間は、ユーザに対して、電話に応答するか切断するかの選択を促しており、選択があった場合に対応する指示信号を無線送信するようになっている。
【００４０】
着信検知ユニット２０においては、無線通信部２７により上記指示信号を受信すると（ステップＳ４Ａ）、制御部２５は、応答指示信号か切断指示信号か否かを判定する（ステップＳ５Ａ）。そして、制御部２５は、応答指示信号を受信した場合は（ステップＳ５Ａ：応答）、ジャック２１の制御端子２２Ｄを例えば数秒間グランドレベルにすることにより、携帯電話機１００を通話状態へ移行させる制御コマンドを出力し、携帯電話機１００を呼び出し状態から通話状態へ移行させる（ステップＳ６Ａ）。
【００４１】
次いで、制御部２５は、音声メモリ２９に記憶された音声データＤ１から音声信号を生成し、出力アンプ４４を介してジャック２１から出力させる（ステップＳ７Ａ）。これにより、携帯電話機１００にイヤホン・マイク端子１０１を介して応答音声が音声入力され、電話相手に対し、例えば、「今、携帯電話機を取り出し中です。」等の音声を放音することができる。これにより、電話相手に対して無音の状態が続く場合が回避され、相手にしばらくの間待ってもらうことが可能となる。
【００４２】
一方、制御部２５は、切断指示信号を受信した場合は（ステップＳ５Ａ：切断）、ジャック２１の制御端子２２Ｄを例えば数秒間ハイレベルにすることにより、携帯電話機１００を切断状態へ移行する制御コマンドを出力し、携帯電話機１００を呼び出し状態から切断状態へ移行させる（ステップＳ８Ａ）。これにより、ユーザが電話にでることが出来ない場合は電話相手を待たせることなく電話を切断できるようになっている。
【００４３】
なお、切断指示信号を受信した場合も、イヤホン・マイク端子１０１を介して応答音声を音声入力させるようにしてもよい。具体的には、音声メモリ２９に、切断応答用の音声データＤ２（例えば、「会議中のため電話に出られません」といった音声）を記憶させておき、切断指示信号を受信した場合は、制御部２５が携帯電話機１００を通話状態へ移行させ、この音声データＤ２の音声信号を携帯電話機１００に音声入力させた後、切断状態に移行させるようにしてもよい。これにより、ユーザが電話に応答しなくても、電話相手に失礼なく電話を切断することが可能となる。
【００４４】
以上説明したように、本実施形態の着信報知装置１０によれば、着信検知ユニット２０が、着信報知ユニット３０から送信された応答指示信号を受信した場合に、携帯電話機１００を通話状態に移行させ、音声メモリ２９に記憶された音声データＤ１に基づき応答音声を携帯電話機１００に音声入力するので、ユーザが携帯電話機１００を直ぐに取り出せない状況や会議中等で携帯電話機１００を直ちに使用できない状況にあっても、電話に音声で応答することができ、電話相手や周囲の人に失礼なく電話を待ってもらうことが可能となる。この場合、応答音声は、音声信号が携帯電話機１００に直接音声入力されて外部には放音されないので、会議中であっても周りの人に迷惑をかけることがない。
【００４５】
また、着信検知ユニット２０が、着信報知ユニット３０から送信された切断指示信号を受信した場合に、携帯電話機１００を切断状態に移行させるので、電話相手を待たせることなく電話を切断することができる。このとき、着信検知ユニット２０が、携帯電話機１００を通話状態に移行させ、音声メモリ２９に記憶された切断応答の音声データＤ２に基づき応答音声を携帯電話機１００に音声入力した後、携帯電話機１００を切断状態に移行させるようにすれば、より電話相手に失礼なく電話を切断することが可能となる。また、応答音声や切断応答の音声データＤ１、Ｄ２を変更できるため、ユーザは、状況や嗜好等に応じて、電話相手とのコミュニケーションを円滑にする応答音声に適宜変更することができる。
【００４６】
また、着信報知ユニット３０は、ユーザにより操作される操作部５５の操作に従って上記応答指示信号及び切断指示信号を送信するので、ユーザの選択に応じて電話を通話状態にするか切断状態にするかを遠隔操作することができる。
【００４７】
さらに、着信報知ユニット３０は、着信報知ユニット３０全体の振動や、音（ブザー音、メロディ音）や、表示部３３への着信報知メッセージ等の表示によって携帯電話機１００の着信を報知するので、周囲が騒がしかったり、携帯電話機１００が鞄の中にあって着信音を聞きづらい状況にあっても、着信を確実に報知することができる。また、着信報知を、音（ブザー音、メロディ音）では行わないように設定可能であるため、状況に応じて適切な着信報知を行うことが可能となる。
【００４８】
上述した実施形態は、あくまでも本発明の一態様を示すものであり、本発明の範囲内で任意に変形が可能である。例えば、上述の実施形態においては、無線電波によって信号を送受信する場合について述べたが、これに限定されるものではなく、超音波や電磁誘導、赤外線通信などを使った他の無線通信方式を採用してもよい。されに、それらを組み合わせた方式を採用してもよい。
【００４９】
また、上述の実施形態では、ＰＨＳを含む携帯電話機１００の着信を報知する着信報知装置１０に本発明を適用する場合について述べたが、自動車電話、固定電話、固定電話の子機となるコードレス電話等の様々な電話の着信を報知する着信報知装置に適用することが可能である。
【００５０】
また、上述の実施形態では、着信検知ユニット２０及び着信報知ユニット３０を制御するための制御プログラムを各ユニットの記憶部２６及び５４に予め記憶しておく場合について説明したが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバなどからダウンロードできるようにしてもよい。
【図面の簡単な説明】
【００５１】
【図１】本実施形態に係る着信報知装置の概要を示す図である。
【図２】着信報知装置の着信検知ユニットを説明するための図である。
【図３】着信報知装置の着信報知ユニットの正面図である。
【図４】携帯電話機の構成例を示すブロック図である。
【図５】着信検知ユニットの接続端子を示す図である。
【図６】着信検知ユニットのジャックを示す図である。
【図７】着信検知ユニットの機能構成を示す図である。
【図８】着信報知ユニットの機能構成を示す図である。
【図９】着信検知ユニットと着信報知ユニットのシーケンス図である。
【符号の説明】
【００５２】
１０…着信報知装置、２０…着信検知ユニット、２１…ジャック、２１Ａ…接続端子、３０…着信報知ユニット、２５、５１、１２８…制御部、２６、５４…記憶部、２７、５０…無線通信部、３４ａ〜３４ｄ…操作子、５５…操作部、１００…携帯電話機、１０１…イヤホン・マイク端子、１０２…デジタル信号入出力端子。
【図１】
2005260621.tif 000003
【図２】
2005260621.tif 000004
【図３】
2005260621.tif 000005
【図４】
2005260621.tif 000006
【図５】
2005260621.tif 000007
【図６】
2005260621.tif 000008
【図７】
2005260621.tif 000009
【図８】
2005260621.tif 000010
【図９】
2005260621.tif 000011